(57)【要約】      （修正有）【課題】鋏を使用せず包装袋を手で持ったまま、安全且つ綺麗に切断することを可能にする小型切断器具を提供する。【解決手段】器具の片側にカッター刃５を装着し、対峙するもう一方にカッティング・マットの代わりをする、ローラー３を装着した装置を特徴とし、そのローラーとカッター刃５の間に包装袋の切りたい部分を当て、器具で挟んで押し付けながら任意の方向に引き、滑らせることにより、切断を容易にした。【選択図】図２
2019042464.tif 000002
【特許請求の範囲】
【請求項１】
器具の片側にカッター刃を装着し、対峙するもう一方にカッティング・マットの代わりをする、ローラーを装着した装置を特徴とし、そのローラーとカッター刃の間に包装袋の切りたい部分を当て、器具で挟んで押し付けながら任意の方向に引き、滑らせることにより、切断を容易にしたことを特徴とする発明。
【請求項２】
カッティング・マットを使用せず、代わりにローラーを使用し、曲線の半月形状のカッター刃を使用することにより、左右両方向の切断が可能であり、直線のみならず、曲線の切断も可能にしたことを特徴とする発明。
【請求項３】
カッター刃にクッション性能を持った保護装具を装着し、包装袋及び封筒等の切断時に刃で手指を切らないように安全に留意したことを特徴とする発明。
【請求項４】
見えにくい包装袋の切り口の有無に関係なく、どの位置からでも任意の箇所から開封のための切断を可能にした発明。
【請求項５】
カッター刃の装着場所を移動することにより、ローラーの使用部位を多くし磨耗を少なくし使用期間を長くすることに留意した発明。
【請求項６】
装置の片側の内部にマグネットを装着し、冷蔵庫等金属物の表面に貼り付け、いつでも身近に手軽に器具を使用することを可能にし、簡単に包装袋の開封を可能にした発明。
【発明の詳細な説明】
【発明の詳細な説明】
【技術分野】
【０００１】装置は片手の手の平の中に入る程度の大きさであり、片側にカッター刃を装着し、もう一方の対峙する側には、カッティング・マットの変わりに円柱形のローラーを装着している。双方は上部で折りたたみ式に構成されており、上部の一箇所で接続しており、ローラーとカッター刃は折畳んで押さえると、接触するようになっている。片手で包装袋の上部の隅を持ち、もう片方で小型の切断器具を持ち、その器具の隙間に包装袋の上部の隅を挟み込み、潜らせるように押圧しながら、引くと任意の希望の箇所が切断される。カッターナイフだけでの切断も可能であるが、一つ間違えれば怪我をする危険性があるが，この装置では怪我をすることは皆無になるように工夫した。【０００２】切断は左右上下の全方向が可能であり、半月型のカッター刃を使用することにより逆方向に滑らせても切断が可能である。又、直線のみならず、曲線の切断も可能である．【０００３】この切断器具は対の形状になっており、先端部分で接続されており、そこにはばねが装着されており、爪切りやホッチキスの様に使用時以外は、一方の先端のローラー部分とカッター刃の対峙する部分は隙間を保持している。【０００４】使用時には包装パックの希望切断箇所に合わせて器具の両面を押圧しながら、左右のいずれかに引くことにより切断を可能にした装置である。【０００５】装置の表面には現在の切断位置が確認出来るように赤いラインの目印を付けていることを特徴とする装置である。【０００６】カッティング・マットの代わりのローラーとカッター刃の交換を可能にしたことを特徴とした切断器具である。【０００７】使用時にはカッター刃が手に触れないようにクッションカバーが施され安全に留意したことを特徴とした切断器具である。【０００８】包装袋に接触する部分にはプラスチックなどを使用し滑りやすくした事を特徴とした切断器具である。
【背景技術】
【特許文献】
【発明が解決しようとする課題】
【０００９】包装袋や封筒等をカッターナイフで切断する場合、空中で切るとすればカッター刃は対象物を突き抜けることになり、一つ間違えれば怪我をする危険性が有った。また台の上に乗せて切る場合は、封筒等の場合はカッティング・マットを敷かなければ、机やテーブルを傷つけることになる。また食品などのパックを切るときには、台やテーブルの上に食品の一部や液体をこぼす可能性がある。そこで当発明では、鋏を使用せず包装袋を手で持ったまま、安全且つ綺麗に切断することを可能にした。
【００１０】食品の包装袋を鋏で切断する場合には、包装袋を横向きにして切る訳にはいかないので、敢えて鋏を水平に傾けて切らなければならなかったが、この切断器具を使えば、どの角度での使用も可能である。従って包装袋の上部を摘んで持てば、内容物の食品や液体をこぼす事が全く無い。
【００１１】器具のサイズは、縦長９０ミリ、片側最大厚み２７ミリ、他の箇所は１０ミリ、横幅３７ミリ程度の手の平に入る程度で使いやすいようにした。
【００１２】安全性を確保するために、使用しない時はカッター刃を覆い隠すクッションカバー装置を装着した。
【００１３】カッティング・マットの代わりをするローラーの一部分の部分的磨耗を防ぐため、カッターナイフの位置を移動させ、ローラーの同じ位置を切り続けることが無い様に耐用期間を伸ばすための工夫をした。
【発明の効果】
【００１４】図１の挿絵のように、包装袋の上部を片手で摘んで、もう片方の手で当該器具を持ち、包装袋又は封筒等を挟み込み、押圧しながら引く事により綺麗に切断することを可能にした。
【００１５】切断の手の動きは、仮に右利きの人の場合、器具を移動させずに左手の包装袋のみを左に引いても良いし、逆に左手の包装袋を持った手は動かさずに、右手に持った切断器具だけを動かしても良いが、人の動作習慣から言えば、左右の手で引く事になるが、その場合の切断速度は、他の如何なる切断速度より速いことが分かった。
【００１６】当該切断器具は、右利き、左利きの人に関係なく包装袋又は封筒などの持ち方を表裏に変えるだけで切る事が可能である。
【００１７】切断は必ずしも、包装袋の端から切る必要は無い。図１の挿絵のように、袋の左端を摘むと、切断器具を包装袋の左端の切り口に当てることが出来ないので、摘んだ箇所は無視して、器具が摘んだ手の邪魔にならない箇所に当てて切り進めば問題なく切断が出来る。むしろその方が摘んだ手を一度持ち替える必要が無く安全と言える。又どうしても完全に全部の切断がしたいのであれば、持つ手を移動させ、器具を逆方向に移動させ切断することが可能であるし、包装袋の表裏を逆に持ち替えて、切り残し部分を切断することも出来る。
【００１８】特にスナック菓子類の包装袋では、特別な切り口を指定せず、袋の上端部全体にギザギザの切り口が施されているものが多いが、切れ裂ける部分は直線に綺麗に切れる訳では無いので、得てして中身の商品をこぼす事が多かったが、この切断器具を使えば、上部を綺麗に切る事が出来るので、中身をこぼすことは無い。
【発明を実施するための最良の形態】
【００１９】ローラーは必ずしもゴムにする必要はない。ゴムの場合、切断時にカッター刃を強く押しすぎると、刃がローラーに食い込みカッター刃の切れる部分が包装袋の切りたい箇所に当たらず袋を破くことがある。従って、ローラーの素材としては、プラスチック又は樹脂製が望ましい。カッター刃はかなり強度と対磨耗性に優れているので、カッター刃への負担は少ない。【００２０】カッター刃の形状は図４の（Ｂ）図の（イ）又は（ロ））のような半月型もしくは三日月型の形状が望ましい。この形状にすることにより、左右両方向への切断が可能になる。
【実施形態】
図１，図２，図３，図４により説明する。
【図面の解説】
図１は、使用時の想定図である。
図１の１は切りたいパックの端をしっかり掴む。
図１の２は器具を押さえて滑らせる。
【図２と図３の番号の説明】
１．  外装ケース
２．  開脚ばね
３．  ゴムローラー
４．  ゴムローラー軸受け
５．  カッター刃
６．  カッター刃の安全カバー
７．  板ばね
８．  ゴムローラー回転軸
９．  滑り板
１０．マグネット
【００２１】図２の外形図の甲部乙部は樹脂製で形成されている。
図３の内部構造図の２は、器具の開脚のためのものであり、ばねは板ばねでも、螺旋ばねでも構わない。通常は甲部と乙部は支点を軸にして離れている。
番号の３は、ローラーであり樹脂製が望ましいが、ゴム製の表層部に樹脂を巻きつけるのが、クッション性能を持たせるためには最善である。
番号の４はローラーの軸及び軸受けである。軸はローラー内部を貫通し、ローラーと軸が固定されていることが望ましい。軸及び軸受けは金属製が望ましい。
５はカッター刃であるが、図４の（Ｂ）の（イ）の半月状又は（ロ）の三日月状が望ましいが、強固に固定する事が肝要である。
６は安全のためのカッター刃のカバーであるが、使用時にローラーとカッター刃が押圧されたときには、刃がローラーに当たるように、クッションで凹むようにばね等で工夫する。
番号の７はカッター刃の保護ケースのクッションを生み出す為のものであり、反発力の弱い、柔軟なばねを用いることとし、螺旋羽でも板ばねでも構わない。
番号の８はローラーの軸及び軸受けであり番号４と重複するが、小型の製品であり、特にベアリングを使用する必要はない。どちらも金属製にすることで解決する。
番号９は、対象物の包装袋が滑りやすくするための、すべり板であり、波形状をしたプラスチック板を用いるのが良い。
番号１０はマグネットであり乙部の内部の外装部に固定してある。磁力は左程大きなものは必要はない。
【特許の範囲】
【００２２】手の平に入る程度の小型携帯用の切断器具であることを特徴とし、爪切りや小型ホッチキスのように、軽量であり、片側に親指をあて、もう片方に人差し指を含む他の指を当てて、押しながら引いて切断を可能にする発明。
【００２３】ローラーを備え、カッティング・マットを不要にしたことを特徴とした発明。
【００２４】使用時には、カッター刃とローラーが必ず、接触する位置にあることを特徴とした発明。
【００２５】ローラーの材質は、ゴム製、木製、プラスチック製、樹脂製、金属製を含む事を特徴とした発明。
【００２６】カッター刃の形状は長方形、円形、三日月型、半月型の全ての形状を含めたことを特徴とした発明。
【００２７】机上に置いて切る事も、空間で切る事も可能にしたことを特徴とした発明。
【００２８】カッター刃が移動できることを可能にし、ローラーの磨耗を減少させる事を特徴とした発明。
【００２９】カッター刃にクッション性のカバーを設け、安全に留意したことを特徴とする発明。
【００３０】ローラー及びカッター刃の交換を可能にしたことを特徴とした発明。
【図１】
2019042464.tif 000003
【図２】
2019042464.tif 000004
【図３】
2019042464.tif 000005
【図４】
2019042464.tif 000006